(57)【要約】【課題】引込線に容易にＶ字工法を用いて引留具を取り付けることを可能とする引留具取付補助具を提供する。【解決手段】引留具取付補助具は、引込線に取り付けられる引留具を装着し、引留具に支持線を折り返して巻着保持引留具ホルダ部と、引留具ホルダ部に導入される支持線部分に、折り返して導出された支持線の先端部分を巻き付けるＶ字作製を行うＶ字形成部とで構成される。【選択図】図１
2014023220.tif 000002
【特許請求の範囲】
【請求項１】
ケーブルの支持線を折り返して巻着保持する引留具を収容する引留具ホルダ部と、
前記引留具ホルダ部の一端に配置され、前記引留具ホルダ部に導入される前記ケーブルの支持線部分に、折り返して導出された該ケーブルの支持線の先端部分を巻き付けてＶ字部作製を行うＶ字形成部と、
を具備する引留具取付補助具。
【請求項２】
前記Ｖ字形成部は、一体的に形成される、
前記引留具ホルダ部上に固定されるベース部と、
前記ベース部上に配置され、前記ケーブルの支持線が宛がわれ、折り返した前記ケーブルの支持線の先端部分が前記導入されるケーブルの支持線部分と交差する方向にガイドするＶ字ガイド部と、
前記Ｖ字ガイド部上に配置され、Ｖ字形成時に前記Ｖ字ガイド部からの前記ケーブルの支持線の抜出を防止するヘッド部と、
を具備することを特徴とする請求項１に記載の引留具取付補助具。
【請求項３】
前記Ｖ字形成部は、
前記引留具ホルダ部上に固定されるベース部と、
前記ベース部上に一体的に形成され、前記ケーブルの支持線が宛がわれ、折り返した前記ケーブルの支持線の先端部分が前記導入されるケーブルの支持線部分と交差する方向にガイドするＶ字ガイド部と、
前記Ｖ字ガイド部に蝶着され、Ｖ字形成時に前記Ｖ字ガイド部からの前記ケーブルの支持線の抜出を防止し、該Ｖ字部側に開くヘッド部と、
を具備することを特徴とする請求項１に記載の引留具取付補助具。
【請求項４】
前記Ｖ字形成部は、
前記引留具ホルダ部上に固定されるベース部と、
前記ベース部上に一体的に形成され、前記ケーブルの支持線が宛がわれ、折り返した前記ケーブルの支持線の先端部分が前記導入されるケーブルの支持線部分と交差する方向にガイドするＶ字ガイド部と、
前記Ｖ字ガイド部上に配置され、Ｖ字形成時に前記Ｖ字ガイド部からの前記ケーブルの支持線の抜出を防止するヘッド部と、
前記Ｖ字ガイド部と前記ヘッド部とを摺動可能に連結する摺動移動機構と、
を具備することを特徴とする請求項１に記載の引留具取付補助具。
【請求項５】
前記引留具ホルダ部は、落下防止用ロープを掛止する取付部を具備することを特徴とする請求項１乃至請求項４のうちいずれか１項に記載の引留具取付補助具。
【発明の詳細な説明】
【技術分野】
【０００１】
本発明は、引込線に引留具を取り付けるための補助具に関する。
【背景技術】
【０００２】
一般に、電柱等により引き回される通信ケーブルの架空線は、各建屋に分配される際、主たるケーブルから分岐された引込線として、屋内に引き込まれている。例えば、光ファイバーケーブル（光ケーブル）等は、電柱間の吊線にスパイラルハンガー等により吊架されている。光ケーブルの途中に設けられた架空光クロージャにおいて、引込線（光ケーブル）に分岐される。吊線には、引留具留め金具が固定され、公知な引留具のリング金具が嵌装されて取り付けられている。一方、建屋の壁等にも同様な引留具留め金具が固定され、引留具のリング金具が嵌装される。
【０００３】
光ケーブルの引込線は、光心線を含むケーブル部と支持線（鋼線）とが一体的に並設され、一本のケーブルとなっている。引込線は、両端でケーブル部と支持線とを引き離し、支持線の両端に引留具を取り付け、両引留具を引留め具金具に固定することにより布設される。勿論、ケーブル部と支持線とが別体であり、ケーブル部が支持線に支持される構成や、互いに撚られて一本化している場合もある。
【０００４】
引留具は、本体が樹脂材料等により形成され、防腐食処理された鋼線からなるリング金具と、例えば、複数の突起する係止部（テンションメンバ係合部）が配置される。この引留具は、例えば、特許文献１に示すように、これらの間に支持線をＳ字状に巻き付けて支持線にテンションを持たせるようにリング金具が引留具留め金具に嵌装されることにより固定される。
【先行技術文献】
【特許文献】
【０００５】
【特許文献１】特開２０００−０９２６３７号公報
【発明の概要】
【発明が解決しようとする課題】
【０００６】
引込線の支持線をＳ字上に巻き付けて引留具を取り付けた場合、１本の支持線は、端部がリング金具側に固定され、係止部に巻きつけられた後、反対側の他端から引き出されることになり、引留具を引留具留め金具により固定した際、引留具を介して１本の支持線にテンションが掛かることになる。このため、降雪地帯や風雨が強い地方では、引留具の取り付け部分において１本の支持線に風雪による大きな負荷が掛かり、断線等の障害が生じる虞がある。そこで、支持線に引留具を取り付ける際に、支持線の先端を引留具内で折り返して巻き付け、引留具から引き出される支持線側に巻き付けて、２本の支持線でＶ字型を作り、支持線に掛かる負荷を分散して断線故障を低減するＶ字工法が用いられている。
【０００７】
引込線の布設は、電柱上等の高所で手作業にて行うものであるため、布設作業時間の短縮化が望まれるが、Ｖ字工法は、引込線の支持線をＳ字上に巻き付けて引留具を取り付ける場合と比較して、引込線の支持線を引留具に巻き付けＶ字を形成する工程に時間を要し、作業者にとって、大きな負担となっている。
【０００８】
そこで本発明は、容易に引込線の支持線を引留具に巻き付けＶ字を形成することができ、小型軽量で携帯可能な引留具取付補助具を提供することを目的とする。
【課題を解決するための手段】
【０００９】
上記目的を達成するために、本発明に従う実施形態は、ケーブルの支持線を折り返して巻着保持する引留具を収容する引留具ホルダ部と、前記引留具ホルダ部の一端に配置され、前記引留具ホルダ部に導入される前記ケーブルの支持線部分に、折り返して導出された該ケーブルの支持線の先端部分を巻き付けてＶ字部作製を行うＶ字形成部と、を具備する引留具取付補助具を提供する。
【発明の効果】
【００１０】
本発明によれば、引留具に簡易な作業で支持線を巻き付けることができ、小型軽量で携帯可能な引留具の引留具取付補助具を提供することができる。
【図面の簡単な説明】
【００１１】
【図１】図１（ａ）は、本発明の第１の実施形態に係る引留具取付補助具を側方から見た外観構成を示す図、図１（ｂ）は、引留具取付補助具を上方から見た外観構成を示す図、図１（ｃ）は、引留具取付補助具の正方から見た外観構成を示す図である。
【図２】図２は、第１の実施形態に係る引留具取付補助具を斜め上方から見た外観構成を示す図である。
【図３】図３は、引留具取付補助具に引留具を装填した状態を示す外観図である。
【図４】図４は、引留具取付補助具に装填した引留具に支持線を巻き付けた状態を示す外観図である。
【図５】図５は、引留具に支持線を巻き付けた状態を示す外観図である。
【図６】図６（ａ）は、第２の実施形態に係る引留具取付補助具の主要部を側方から見た構成を示す図、図６（ｂ）は、引留具を取り外す際の引留具取付補助具の主要部を側方から見た構成を示す図である。
【図７】図７（ａ）は、第３の実施形態に係る引留具取付補助具の主要部を側方から見た構成を示す図、図７（ｂ）は、引留具を巻き付ける際の引留具取付補助具の主要部を上方から見た構成を示す図、図７（ｃ）は、引留具を取り外す際の引留具取付補助具の主要部を上方から見た構成を示す図である。
【発明を実施するための形態】
【００１２】
以下、図面を参照して本発明の実施形態について詳細に説明する。  
図１（ａ）は、本発明の第１の実施形態に係る引留具取付補助具（以下、補助具と称する）を側方から見た外観構成を示す図、図１（ｂ）は、補助具を上方から見た外観構成を示す図、図１（ｃ）は、補助具の正方から見た外観構成を示す図である。図２は、補助具の斜め上方から見た外観構成を示す図である。図３は、補助具に引留具を装填した状態を示す外観図である。
【００１３】
本実施形態の補助具１は、トレイ形状の引留具ホルダ部２と、Ｖ字形成部３とで構成される。尚、以下の説明において、引留具ホルダ部２におけるＶ字形成部３が配置される側を前方（前端）とし、配置されていない側を後方（後端）と称する。
【００１４】
引留具ホルダ部２は、板状の底部に引留具１１本体を収容する長さと幅を有し、両側にガイド壁が立ち上がった形状である。Ｖ字形成部３が配置される箇所のガイド壁２ａの高さは、Ｖ字形成部３における支持線４が掛かる位置よりも高い位置に形成する。この壁の高さを取ることにより、作業時に支持線４の側方向への外れを防止することができる。
【００１５】
本実施形態が作業対象とする引留具１１は、図５に示すような広く利用されている公知なタイプであり、直方体形状の本体が樹脂材料により形成され、防腐食処理された鋼線からなるリング金具１２が端部に配置される。引留具１１は、本体上面に支持線を巻き付ける（巻着する）ための３つの係止部（テンションメンバ係合部）１３ａ，１４，１５が配置される。係止部１４は、本体中央上に配置され、上側に鍔が形成された円筒形状を成している。係止部１３ａ，１５は、本体両端上に配置され、上側に鍔が形成された角形状を成している。さらに、係止部１３ａには、リング金具１２側に張り出すように一体的に形成され、支持線４を折り返すための突起部１３ｂが設けられている。勿論、この引留具の形状は限定されるものではなく、支持線を装着するタイプであれば、引留具ホルダ部の形状を、その引留具の形状に合わせて作製することで容易に適用することができる。
【００１６】
本実施形態の引留具ホルダ部２は、例えば、アルミニウム等の軽量な金属材料により形成される。他にも、硬質な樹脂材料により形成してもよい。また、引留具ホルダ部２の端部には、穴（取付部）７が開口される。この穴７には、クリップ等が設けられた図示しない落下防止用ロープ、例えば、樹脂製スパイラル伸縮ロープが連結され、架空作業時における落下防止に役立つ。勿論、落下防止用ロープの連結箇所は、穴だけではなく、湾曲状に突出した穴あき係止部やフック等であってもよい。
【００１７】
また、Ｖ字形成部３は、ベース部３ａ、Ｖ字ガイド部３ｂ及びヘッド部３ｃの三段構造で一体的に構成されている。Ｖ字形成部３は、引留具ホルダ部２と同様な金属材料又は、樹脂材料により形成されている。本実施形態では、Ｖ字形成部３と引留具ホルダ部２は別体で形成し、ネジ、接着又は溶着等により固定する構造であるが、限定されるものではなく、金属又は樹脂のブロック材料から削りだして、一体的に形成してもよい。
【００１８】
ベース部３ａの高さは、引留具１１の本体の高さと略同じ高さとなるように設定されている。中央に位置するＶ字ガイド部３ｂは、ベース部３ａとヘッド部３ｃとの間に設けられており、支持線を掛けるために、上下段に比べて一回り小さく形成される。Ｖ字ガイド部３ｂは、その両側面を通すように支持線が宛がわれ、支持線４のＶ字作製を行う。Ｖ字ガイド部３ｂは、前方で、折り返した支持線４の先端部分を導入される支持線部分と交差する方向にガイドする。このため、Ｖ字ガイド部３ｂで支持線が交差しやすいように、前方に向かい先細りの三角形又は、滴形（断面）又は、アーモンド形（断面）を採用している。
【００１９】
ヘッド部３ｃは、Ｖ字ガイド部３ｂよりやや大きく、直方体と半円の円筒形状を組み合わせた形状である。即ち、Ｖ字形成時に、支持線４がＶ字ガイド部３ｂから外れ出ない程度で側方に鍔が張り出した形状である。また、Ｖ字形成後に、支持線４のＶ字部６が外れやすいように、前方が半円の円筒形状に形成される。さらに、円筒形状の上部を、面取り又は、丸めた球面形状の加工を加えてもよい。
【００２０】
次に、図３乃至図５を参照して、補助具１に引留具１１を装填し、支持線４を巻き付けて、Ｖ字形成する手順について説明する。図４は、補助具に装填した引留具に支持線を巻き付けた状態を示す外観図である。図５は、引留具に支持線を巻き付けた状態を示す外観図である。
【００２１】
まず、図３に示すように、補助具１に引留具１１を装填する。この時、作業現場であれば、引留具１１のリング金具１２は、吊線の引留具止め金具に嵌装されている場合もある。作業者は、装着された引留具１１の係止部１５側がＶ字形成部３のベース部３ａに当接しているように手で保持する。
【００２２】
次に、図４に示すように、支持線４の先端側をＶ字形成部３のＶ字ガイド部３ｂの側面側に差し入れて、引留具１１の係止部１３ａ，１４，１５に対して、支持線４をテンションが張った状態でＳ字状に交互となるように巻き付ける。突起部１３ｂで折り返して巻き付けて戻って来た支持線４の先端側をＶ字ガイド部３ｂの前方で、入れた側の支持線４に撚るように巻き付けて、巻き付け止め部５を形成する。強度に基づいて設定された巻数を巻き付け、先端部分の余分となった支持線４は、カットする。
【００２３】
さらに、巻き付け止め部５がＶ字形成部３のヘッド部３ｃを潜り抜けるように、外し取り、引留具１１を補助具１から取り出す。この時、引留具１１には、Ｖ字ガイド部３ｂの大きさに基づく、支持線４のＶ字部６が形成されている。
【００２４】
以上の本実施形態の引留具取付補助具によれば、架空作業現場におけるケーブルの引込作業に伴う引留具への支持線の巻き付け作業で、容易に且つ短時間でＶ字工法によるＶ字部６を形成することができる。トレイ形状の補助具への引留具の装着が容易である。  
また、Ｖ字形成部３に支持線４を宛がった状態でＶ字部６を形成するため、均一で適正な長さのＶ字部６を形成することができ、安定した強度と品質を提供することができる。
【００２５】
さらに、Ｖ字形成部３のヘッド部３ｃの前方を円形又は丸めることにより支持線巻き付け後の離脱が容易であり、Ｖ字ガイド部３ｂを先細りの三角形状とすることで、支持線の撚りによる巻き付けが容易になる。また作業中において、引留具が装着された補助具を安定して把持することができる。尻手ロープを繋ぐことにより、落下防止ができ、且つ収納箇所からの取り出しも容易になる。
【００２６】
次に、図６を参照して、第２の実施形態について説明する。  
図６（ａ）は、第２の実施形態に係る補助具の主要部を側方から見た構成を示す図、図６（ｂ）は、引留具を取り外す際の補助具の主要部を側方から見た構成を示す図である。尚、本実施形態に構成部位において、前出した第１の実施形態と同等の部位には同じ参照符号を付して、その説明を省略する。
【００２７】
図６（ａ）に示すように、本実施形態の補助具のＶ字形成部２１の構成が第１の実施形態とは異なっている。  
本実施形態のＶ字形成部２１は、ベース部２１ａ及びＶ字ガイド部２１ｂが一体的に形成される。ヘッド部２１は、ベース部２１ａ及びＶ字ガイド部２１ｂとは、別体で形成され、ヒンジ部２２により前方側が開くように回動可能に、Ｖ字ガイド部２１ｂに取り付けられている。また、ヘッド部２１とＶ字ガイド部２１ｂの互いの対向面（当接面）において、当接状態を保持するための当接保持機構が設けられている。この当接保持機構の一例として、ヘッド部２１には、弾性材料により形成されるストッパピン２３が設けられ、Ｖ字ガイド部２１ｂには、ストッパピン２３が嵌合するストッパ穴２５が形成されている。ストッパピン２３は、ストッパ穴２５に嵌合することで、ヘッド部２１に生じる携帯時のガタツキを防止し、また支持線４の巻き付け時にはヘッド部２１が不用意に開かないように係止する。Ｖ字形成部２１は、第１の実施形態と同様に、金属材料又は樹脂材料により形成されている。
【００２８】
本実施形態においては、図４で示したように引留具１１に支持線４を巻き付け、巻き付け止め部５を形成する。その後、巻き付け止め部５をＶ字形成部３から取り外す際に、ヘッド部２１ｃを開けて回動させる。ヘッド部２１ｃが開いた状態で、Ｖ字ガイド部２１ｂから巻き付け止め部５を抜き取ると共に、引留具１１の本体をベース部２１ａから外して、係止部１５をヘッド部２１ｃに近づけた状態で、巻き付け止め部５をヘッド部２１ｃから潜り抜けるように抜き取る。
【００２９】
以上の本実施形態の引留具取付補助具によれば、前述した第１の実施形態の効果に加えて、Ｖ字ガイド部２１ｂからヘッド部２１ｃが開くように回動するため、巻き付け止め部５を容易に取り外すことができる。特に、Ｖ字ガイド部２１ｂに対して、締め付けるように巻き付け止め部５を作製してしまった場合であっても、ヘッド部２１ｃから容易に取り外すことができる。
【００３０】
次に、図７を参照して、第３の実施形態について説明する。  
図７（ａ）は、第３の実施形態に係る補助具の主要部を側方から見た構成を示す図、図７（ｂ）は、引留具を巻き付ける際の補助具の主要部を上方から見た構成を示す図、図７（ｃ）は、引留具を取り外す際の補助具の主要部を上方から見た構成を示す図である。尚、本実施形態に構成部位において、前出した第１の実施形態と同等の部位には同じ参照符号を付して、その説明を省略する。
【００３１】
図７（ａ）に示すように、本実施形態の補助具のＶ字形成部３１の構成が第１の実施形態とは異なっている。  
本実施形態のＶ字形成部３１は、図７（ａ），（ｂ）に示すように、ベース部３１ａ及びＶ字ガイド部３１ｂが一体的に形成され、ヘッド部３１ｃが別体で形成される。Ｖ字ガイド部３１ｂのヘッド部３１ｃとは、当接面に摺動移動機構が設けられて、摺動可能に構成されている。この摺動移動機構は、Ｖ字ガイド部３１ｂに形成された凸型溝３２と、ヘッド部３１ｃに形成された、凸型溝３２に摺動可能に嵌合する凸型スライダ部３３とで構成される。凸型溝３２は、Ｖ字ガイド部３１ｂの後面側から形成され、凸型溝３２の上部側壁には間隔を空けてライン状突起部３４，３５が設けられている。
【００３２】
また、ヘッド部３１ｃのＶ字ガイド部３１ｂと当接する面には、凸型溝３２に嵌合されて移動可能な凸型スライダ部３３が形成されている。凸型スライダ部３３は、逆Ｔ字の下部の両側面が鍔状に張り出た形状である。凸型スライダ部３３は、凸型溝３２の後面（円筒面の反対側の面）から嵌め込まれ、Ｖ字ガイド部３１ｂの後面は、同じ材料の封止部材により封止される。凸型スライダ部３３の凹部３３ａは、摺動した際に、ライン状突起部３４，３５の何れかに嵌合する。このような構成により、Ｖ字ガイド部３１ｂからヘッド部３１ｃが外れ出ずにスライド可能である。Ｖ字形成部３１は、第１の実施形態と同様に、金属材料又は樹脂材料により形成されている。
【００３３】
本実施形態においては、図４で示したように引留具１１に支持線４を巻き付け、巻き付け止め部５を形成する。その後、巻き付け止め部５をＶ字形成部３から取り外す際に、図７（ｂ）に示す作業位置から、図７（ｃ）に示すように、ヘッド部３１ｃを後方にスライドさせて、ヘッド部３１ｃの先端部がＶ字ガイド部３１ｂの先端部よりも同じ又は後方の位置（離脱位置）になるように退避させる。ヘッド部３１ｃが移動した状態で、巻き付け止め部５をＶ字ガイド部３１ｂから抜き取ると、ヘッド部２１ｃも潜り抜けて抜き取れる。
【００３４】
以上の本実施形態の引留具取付補助具によれば、前述した第１の実施形態の効果に加えて、Ｖ字ガイド部３１ｂからヘッド部２１ｃがスライド移動して退避するため、巻き付け止め部５を容易に取り外すことができる。特に、Ｖ字ガイド部３１ｂに対して、締めるように巻き付け止め部５を作製してしまった場合であっても容易に取り外すことができる。
【符号の説明】
【００３５】
１…引留具取付補助具、２…引留具ホルダ部、２ａ…ガイド壁、３…Ｖ字形成部、３ａ…ベース部、３ｂ…Ｖ字ガイド部、３ｃ…ヘッド部、４…支持線、５…巻き付け止め部、６…Ｖ字部、７…穴、１１…引留具、１２…リング金具、１３ａ，１４，１５…係止部、１３ｂ…突起部。
【図１】
2014023220.tif 000003
【図２】
2014023220.tif 000004
【図３】
2014023220.tif 000005
【図４】
2014023220.tif 000006
【図５】
2014023220.tif 000007
【図６】
2014023220.tif 000008
【図７】
2014023220.tif 000009